(57)【要約】【課題】携帯電話におけるエコーの程度を判定すること。【解決手段】携帯電話のスピーカー１７を、試験信号を用いて鳴動させる鳴動手段と、鳴動手段がスピーカー１７を鳴動させたときに、携帯電話のマイク１８が集音した音圧を測定する測定手段と、測定手段が音圧を測定した測定結果に基づいて、エコーの程度が正常の範囲内であるか否かを判定する判定手段と、判定手段が判定した判定結果を出力する出力手段とを備える。【選択図】図１
2012015715.tif 000002
【特許請求の範囲】
【請求項１】
携帯電話におけるエコーの程度を判定するエコー判定システムであって、
前記携帯電話のスピーカーを、試験信号を用いて鳴動させる鳴動手段と、
前記鳴動手段が前記スピーカーを鳴動させたときに、前記携帯電話のマイクが集音した音圧を測定する測定手段と、
前記測定手段が音圧を測定した測定結果に基づいて、エコーの程度が正常の範囲内であるか否かを判定する判定手段と、
前記判定手段が判定した判定結果を出力する出力手段と
を備えるエコー判定システム。
【請求項２】
前記鳴動手段は、前記携帯電話のスピーカーを、試験信号を用いて複数回に分けて鳴動させ、
前記判定手段は、前記鳴動手段が前記スピーカーを鳴動させる度に、前記携帯電話のマイクが集音した音圧を測定し、
前記判定手段は、前記測定手段が音圧を測定する度に、その測定結果に基づいて、エコーの程度が正常の範囲内であるか否かを判定する
請求項１に記載のエコー判定システム。
【請求項３】
前記鳴動手段は、前記携帯電話のスピーカーを、試験信号を用いて複数回に分けて鳴動させるにあたり、それぞれ異なる試験信号を用いて鳴動させる
請求項２に記載のエコー判定システム。
【請求項４】
前記測定手段は、前記鳴動手段が前記スピーカーを鳴動させる前に、前記携帯電話のマイクが集音した周囲の騒音の音圧を測定し、
前記判定手段は、前記測定手段が音圧を測定した測定結果に基づいて、試験信号の音圧の測定環境として適切か否かを判定する
請求項１から３のいずれか一項に記載のエコー判定システム。
【請求項５】
前記鳴動手段は、前記携帯電話のスピーカーを、試験信号としてインパルス信号を用いて鳴動させる
請求項１から４のいずれか一項に記載のエコー判定システム。
【請求項６】
前記鳴動手段は、前記携帯電話のスピーカーを、試験信号としてＴＳＰ信号を用いて鳴動させる
請求項１から４のいずれか一項に記載のエコー判定システム。
【請求項７】
前記鳴動手段は、前記携帯電話のスピーカーを、試験信号としてエルゴート性雑音信号を用いて鳴動させる
請求項１から４のいずれか一項に記載のエコー判定システム。
【請求項８】
前記判定手段は、エコーの程度が正常の範囲内であるか否かを判定するにあたり、前記マイクで検知され後段の音響信号パスに送信される信号全体の時間ピーク値又は時間平均値をしきい値として用いる
請求項１から７のいずれか一項に記載のエコー判定システム。
【請求項９】
前記判定手段は、エコーの程度が正常の範囲内であるか否かを判定するにあたり、前記マイクで検知され後段の音響信号パスに送信される信号をフーリエ変換し、任意の周波数帯域におけるピーク値又は時間平均をしきい値として用いる
請求項１から７のいずれか一項に記載のエコー判定システム。
【発明の詳細な説明】
【技術分野】
【０００１】
本発明は、エコー判定システムに関する。特に本発明は、携帯電話におけるエコーの程度を判定するエコー判定システムに関する。
【背景技術】
【０００２】
携帯電話においては、スピーカーから出力された音声をマイクが拾ってしまい、エコーを起こすことがある。これを防止するため、携帯電話の中には、エコーキャンセラが内蔵されている（例えば、特許文献１参照。）。
【先行技術文献】
【特許文献】
【０００３】
【特許文献１】特許第３２２８２１８号公報
【発明の概要】
【発明が解決しようとする課題】
【０００４】
上記のように、携帯電話においては、エコーを除去するために様々な対策がとられている。しかしながら、既知の対策によっては、エコーを完全に除去することは困難である。そのため、携帯電話のユーザにとっては、エコーの程度がどの程度であれば正常の範囲内であるかを判断することは難しい。そのため、ユーザは、携帯電話が正常に機能している場合でも、不具合があるとして販売元等に不具合の申告をしてしまうことがある。
【課題を解決するための手段】
【０００５】
上記課題を解決するために、本発明の第１の形態によると、携帯電話におけるエコーの程度を判定するエコー判定システムであって、携帯電話のスピーカーを、試験信号を用いて鳴動させる鳴動手段と、鳴動手段がスピーカーを鳴動させたときに、携帯電話のマイクが集音した音圧を測定する測定手段と、測定手段が音圧を測定した測定結果に基づいて、エコーの程度が正常の範囲内であるか否かを判定する判定手段と、判定手段が判定した判定結果を出力する出力手段とを備える。
【０００６】
なおまた、上記のように発明の概要は、本発明の必要な特徴の全てを列挙したものではなく、これらの特徴群のサブコンビネーションもまた、発明となり得る。
【発明の効果】
【０００７】
以上の説明から明らかなように、この発明においては、携帯電話におけるエコーの程度が正常の範囲内であるか否かを判定して、正常の範囲内ではない場合、その旨をユーザが確認することができる。その結果、この発明においては、顧客満足度を向上させることができる。その結果、この発明においては、製造元や販売元への不適切な市場クレームを引き下げることができる。
【図面の簡単な説明】
【０００８】
【図１】一実施形態に係るエコー判定システムの一例を示す図である。
【図２】ユーザに対しての、エコー量測定の開始の選択画面を示す図である。
【図３】測定・良否判定中であり周囲で音を立てない注意喚起の画面を示す図である。
【図４】良否判定の結果表記及び再測定を実施するかの選択画面を示す図である。
【図５】測定の終了画面を示す図である。
【図６】測定において不良判定の場合の追加測定を実施の選択画面を示す図である。
【図７】追加測定においてもエコーが正常ではないと判断された場合、サポートセンター等を通知する画面を示す図である。
【図８】測定の処理及びディスプレイ表示全体の処理フローを示す図である。
【図９】信号源１１から発せられるインパルス信号を示す図である。
【図１０】信号源１１から発せられるＴＳＰ信号を示す図である。
【図１１】周波数特性を示す図である。
【図１２】測定されたエコー信号の時間波形を示す図である。
【図１３】周波数特性を示す図である。
【図１４】良否判定部２５の詳細を示す図である。
【図１５】周波数領域のしきい値比較を示す図である。
【図１６】不良となるエコー特性の時間波形を示す図である。
【図１７】不良となるエコー特性の周波数特性を示す図である。
【図１８】周波数領域のしきい値比較を示す図である。
【図１９】ハンズフリー通話時に携帯電話にて発生するエコーを示す図である。
【図２０】ハンズフリー通話時に携帯電話にて発生するエコーを示す図である。
【図２１】測定・良否判定３７にて不良と判断された場合の処理フローを示す図である。
【図２２】追加測定３９、４０の処理を１回ではなく複数回行う場合について示す図である。
【図２３】テスト信号として使用され得るインパルス信号６０を示す図である。
【図２４】インパルス信号を複数連ねた信号６１を示す図である。
【図２５】ＴＳＰ信号を複数連ねた信号６２を示す図である。
【図２６】他の実施形態に係るエコー判定システムの一例を示す図である。
【図２７】更に他の実施形態に係るエコー判定システムの一例を示す図である。
【図２８】更に他の実施形態に係るエコー判定システムの一例を示す図である。
【図２９】エコー測定開始３６の後、周囲騒音を測定して、エコー測定にふさわしいかを判断する処理を追加した処理フローを示す図である。
【図３０】周囲騒音測定の開始画面を示す図である。
【図３１】静寂環境への移動・物音を立てないよう注意の表示画面を示す図である。
【図３２】更に他の実施形態に係るエコー判定システムの一例を示す。
【発明を実施するための形態】
【０００９】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１０】
図１は、一実施形態に係るエコー判定システムの一例を示す。エコー判定システムは、携帯電話におけるエコーの程度を判定するシステムである。エコー判定システムは、スピーカー１７に対する音響信号パス、マイク１８に対する音響信号パス、及び良否判定部２５を備える。
【００１１】
スピーカーに対する音響信号パスは、信号規１１、音響信号処理部１２、デジタルゲインアンプ１３、Ｄ／Ａコンバータ１４、アナログゲインアンプ１５、及びスピーカーアンプ１６を有する。信号規１１は、エコー量測定を行う。音響信号処理部１２としては、例えば、ＤＳＰ（Ｄｉｇｉｔａｌ  ｓｉｇｎａｌ  ｐｒｏｃｅｓｓｏｒ）等が挙げられる。Ｄ／Ａコンバータ１４は、デジタル信号からアナログ信号に変換を行う。スピーカーアンプ１６は、スピーカーに対して信号の電圧・電流を適正に増幅する。
【００１２】
マイク１８に対する音響信号パスは、マイクアンプ１９、アナログゲインアンプ２０、Ａ／Ｄコンバータ２１、デジタルゲインアンプ２２、音響信号処理部２３、及び信号測定部２４を有する。Ａ／Ｄコンバータ２１はアナログ信号をデジタル信号に変換する。信号測定部２４は、音響信号処理部２３から送られてきた信号に対する信号を測定する。
【００１３】
良否判定部２５は、信号測定部２４にて測定した結果を受けてエコー量の正常・異常を判定する。図１のシステムによりエコー量を測定、正常・異常の判定を行うことによりスピーカー、マイクの実装からエコーキャンセラ、エコーサプレッサ等の音響信号処理等、全ての音響デバイス、音響パスを含めたシステムが実使用時同様に稼動したときのエコー量を測定することができる。
【００１４】
図２は、ユーザに対しての、エコー量測定の開始の選択画面を示す。図３は、測定・良否判定中であり周囲で音を立てない注意喚起の画面を示す。図４は、良否判定の結果表記及び再測定を実施するかの選択画面を示す。図５は、測定の終了画面を示す。図６は、測定において不良判定の場合の追加測定を実施の選択画面を示す。図７は、追加測定においてもエコーが正常ではないと判断された場合、サポートセンター等を通知する画面を示す。図８は、測定の処理及びディスプレイ表示全体の処理フローを示す。上記図２〜図７に示したディスプレイが図８のフローチャートに従って処理され、またその都度エコー量測定が実施される。また、１１の信号源から発する信号としては、インパルス（ディラックのδ関数相当のもの）、インパルスの時間を引き延ばしたＴＳＰ信号（Ｔｉｍｅ  ｓｔｒｅｔｃｈｅｄ  ｐｕｌｓｅ）、トーン信号、スイープトーン信号、エルゴート性ノイズ（ホワイトノイズ、ピンクノイズ、ブラウンノイズ等）が使用でき、２４における信号測定は、信号ピークのレベル測定、所定の時間帯での信号レベルの積分値測定、ＤＦＴ（Ｄｉｓｃｒｅｔｅ  Ｆｏｕｒｉｅｒ  ｔｒａｎｓｆｏｒｍ）する等して、周波数領域に変換された信号の各周波数成分のレベル測定等が可能である。
【００１５】
下記のとおり、処理の流れ、試験信号とエコー量測定により測定される信号、良否（ＯＫ／ＮＧ）判定内容について、下記に説明する。図８フローチャート及び、図２〜７によるディスプレイ図を用いて説明する。図８において、３６はユーザのエコー測定開始であり、このとき端末のディスプレイには図２のように、２６にて、エコー測定の希望の質問、２７に選択肢が表示され、ユーザは２７にてエコー測定するか否かを選択することができる。この処理３６及びディスプレイ２６に至るグラフィック・ユーザ・インターフェイス（ＧＵＩ）の仕様としては端末のメニューボタン等の押下により表示され、選択可能となるメインメニューディスプレイから、一階層、もしくは複数階層下、すなわちユーザが一回、もしくは複数回選択を行うことにより到達できるよう、設計及びソフトウェアの実装を行えばよい。図８の３７は上記２７にてエコー測定が実施されるように「はい」が選択された場合に実行される、エコー量測定及びその結果についての良否判定である。測定方法及び良否判定の詳細については後述する。３７のエコー測定及び良否判定中は図３の２８のように測定中であること、及び測定中に周囲で音を立てない、また、端末を触る、叩く、ボタンを押下することにより音が発生し、エコー量測定が妨げられることがないように注意を喚起する必要がある。この注意書きは図２の段階で提示しても良い。図８の３８は、３７の測定・良否判定にて良好であった場合に、念のためもう一度測定するかの希望をユーザに質問する処理であり、ディスプレイには図４のように再度測定するかの希望を問う質問と、選択肢３０が表示されユーザが選択可能である。  ３８及び図４にて、ユーザが再測定を行うと選択した場合は処理３７に戻り、行わないと選択した場合には４１にてエコー測定が完了する。エコー測定が完了した場合は、図５のように終了を告知するメッセージが表示される。図８の３７にて測定・良否判定結果が不良であった場合には、追加の評価が行われるよう３９の処理に移る。３９、図６にてユーザに追加測定の希望を質問し、質問結果が「はい」であれば、処理４０に移り、「いいえ」であれば測定終了の４１及び図５を表示する。図６において、３２は追加測定実施の質問、３３は選択肢である。３７及び図６にて追加測定の実施が選択された場合、処理４０に移るが、４０では３７と同様の測定を再度行うことも可能であり、また試験信号のデジタルレベル、鳴動時間、試験信号の鳴動回数を変更することも、測定の方法は変更しないが良否判定基準を変更することも可能である。詳細は後述する。図６の４０の追加測定・良否判定にて良好であった場合には、４１の測定終了処理及び、図５のとおり測定終了の旨がディスプレイに表示される。測定結果が不良であった場合には、４２の不良であるという測定結果を通知する処理と測定終了の処理に移り、図７がディスプレイに表示される。図７において、３４は追加測定の結果、不良であると診断された旨の通知でありその後の対処として、ユーザサポートを行う対応先に連絡を行うようユーザに促す表示内容である。３５は、３４にて表記されるユーザサポート対応先であり、製造元、販売元、及びそれらのユーザサポート業務の請負会���等々が考えられる。
【００１６】
図９は、信号源１１から発せられるインパルス信号を示す。ユーザの測定時には、図１のスピーカー、マイクに至るインパルス応答を、求める必要があるが下記、（１）式を満たすディラックのδ関数の実定数倍に近い、図９の４３に図示される瞬間的なインパルス信号を１１から発する信号源として使用し、インパルス応答を求めてもよいが、信号全体のエネルギーが小さすぎて信号源以降の処理部１２から２５における諸所のノイズとのＳ／Ｎ比を大きく取ることができず測定誤差が大きくなる場合がある。
【００１７】
【数１】
2012015715.tif 000003
【００１８】
そのため、下記の（２）式に基づいて、インパルス信号の位相が周波数の２乗に比例して進むよう操作し、インパルスの時間を引き延ばすことにより信号のエネルギーを大きくとることにより、Ｓ／Ｎ比を極力大きくとって測定することを可能とするものがＴＳＰ信号である。測波帯の折り返しを避けるために、最適化したＴＳＰ信号を離散周波数の形式にて下記（２）式に示す。
【００１９】
【数２】
2012015715.tif 000004
【００２０】
当然ながら、実時間信号は上記（１）式にて生成される離散周波数領域の信号を離散逆フーリエ変換することにより求めることができる。サンプリング周波数を携帯電話の通話にて使用されるＡＭＲの最大サンプリング周波数８ｋＨｚ、信号時間が１秒となるように（１）式の各パラメータを調整し、また振幅がデジタルフルスケールに対して−３ｄＢ程度として生成される、
【００２１】
図１０は、信号源１１から発せられるＴＳＰ信号を示す。ここで、縦軸の数値はｄＢＦｓ＝デジタルフルスケールに対するデシベル値は振幅絶対値の対数値で記載する。また、図１１は、周波数特性を示す。図１０と図１１より、（２）式により、離散周波数領域にて、位相が周波数の二乗に比例して変化するように規定したことにより信号時間がインパルス信号より大幅に１秒程度に引き伸ばされ、かつ周波数特性が平坦な信号が生成できていることがわかる。
【００２２】
図１２は、測定されたエコー信号の時間波形を示す。図１３は、周波数特性を示す。図１４は、良否判定部２５の詳細を示す。２４から送出されたエコー測定信号を２５の内部のＦＦＴ（高速フーリエ変換）４８にて周波数領域信号に変換し、周波数領域にて設定されたしきい値との比較処理４９を行い、良否判定結果送出５０を行う。
【００２３】
図１５は、周波数領域のしきい値比較を示す。周波数領域のしきい値比較４９は、図１５の５１に示すように周波数領域内でしきい値を設定し、そのしきい値よりエコー信号のレベルが周波数帯域の一点でも大きい場合は不良、全ての周波数帯域内でしきい値以下であれば良好として判定する。図１５ではしきい値を−６０ｄＢＦｓと設定しているのに対して、エコー信号は全周波数帯域で−８０ｄＢＦｓ以下であり、判定結果は良好となる。
【００２４】
図１６は、不良となるエコー特性の時間波形を示す。図１７は、不良となるエコー特性の周波数特性を示す。図１８は、周波数領域のしきい値比較を示す。図１６の５２ではエコー信号の最大値が−２５ｄＢＦｓ程度となっており、図１７の５３は最大値が−５５ｄＢＦｓと良否判定しきい値である−６０ｄＢＦｓを越えており、不良と判定される。この場合、図８の再測定４０においては、図１８のように、良否判定しきい値を引き上げて再度測定することも可能であり、図１８の５４においては、−４５ｄＢＦｓまでしきい値を引き上げている。このような再測定のしきい値については、実使用上問題ない値であることを十分に勘案して設定する必要がある。
【００２５】
図１９、図２０は、ハンズフリー通話時に携帯電話にて発生するエコーを示す。図１９において５５はスピーカーであり、キーの背面に実装されており、その音孔５６は筐体のキー反対面に実装されており音を放射する。ハンズフリー通話の場合は、対向話者からの受話音声はこのスピーカー５５及び音孔５６から放射する。したがって、ハンズフリー時のエコーはスピーカー、マイク間で発生し、５８がエコーとなる。さらに２つの端末Ａ、Ｂを図２０に記載して説明する。端末Ａがエコーを引き起こす端末であり、端末Ｂはその対向端末である。端末Ｂのマイク４’からの音声５７が端末Ａのスピーカー５５及び音孔５６から放射され、その受話音声が端末Ａのマイク４入り（５８）、端末Ｂへエコー５９として送信される。図１９と図２０のようにハンズフリーにおいても、本発明が適用可能である。
【００２６】
図２１は、図８において、測定・良否判定３７にて不良と判断された場合に、追加測定の実施に関連する３９、４０の処理を行わず、測定を完了し、測定結果・サポート先の通知をユーザに行う処理４２を行う場合の実施例である。このように、追加測定を行わず、一度の測定に良否判定を行い、ユーザに結果を通知しても良い。
【００２７】
図２２は、図８において、追加測定３９、４０の処理を１回ではなく複数回行う場合について示す。ｎを自然数として、ｎ回の追加測定にて、良否を判定するよう設計した場合、ｎ−１回目の追加測定までは追加測定・良否判定４０にて不良と判断された場合、３９の処理に移ることとなり、ｎ回目の追加測定にて不良と判断されると最終結果として判断し、処理４２に移る。
【００２８】
図２３は、テスト信号として使用され得るインパルス信号６０を示す。上記のとおり、信号のエネルギーとして十分である場合には、インパルス信号をテスト信号とし用いても良い。
【００２９】
図２４は、インパルス信号を複数連ねた信号６１を示す。インパルス信号を複数連ねて、複数回測定し、その平均値を測定して、良品判定を行うことも可能である。
【００３０】
図２５は、ＴＳＰ信号を複数連ねた信号６２を示す。ＴＳＰ信号を複数連ねて、複数回測定し、その平均値を測定して、良品判定を行うことも可能である。
【００３１】
図２６は、他の実施形態に係るエコー判定システムの一例を示す。具体的には、音響信号処理２３の前のデジタルゲイン２２からエコー信号を信号測定２４が受け取る場合を示す。本図のように、信号測定２４は、音響信号処理の前からエコー信号を受け取ることも可能である。
【００３２】
図２７は、更に他の実施形態に係るエコー判定システムの一例を示す。具体的には、マイクとしてデジタル・マイク６３を用いた場合のエコー判定システムの実施例である。デジタル・マイク６３の出力はデジタル信号（ＰＤＭ等）であるため、マイクアンプ１９、アナログゲイン２０Ａ／Ｄコンバータ２１は必要なく、デジタル・マイク６３の出力をデジタルゲイン２２に入力すればよい。
【００３３】
図２８は、更に他の実施形態に係るエコー判定システムの一例を示す。具体的には、図２７において、エコー信号をデジタルゲイン２２から、信号測定２４へ入力した場合である。このように、エコー信号は、必ずしも音響信号処理２３から、信号測定２４に入力する必要は無く、デジタルゲイン２２やデジタル・マイク６３から入力しても良い。
【００３４】
図２９は、エコー測定開始３６の後、周囲騒音を測定して、エコー測定にふさわしいかを判断する処理を追加した処理フローを示す。図３０は、周囲騒音測定の開始画面を示す。図３１は、静寂環境への移動・物音を立てないよう注意の表示画面を示す。６４は、周囲騒音測定の開始画面であり、ディスプレイの表示は図３０のとおりとなる。図３０の６６は、静寂環境にて測定を行う必要性・周囲騒音測定開始に関するメッセージであり、６７は開始をユーザに決定させる”開始”ボタン（ディスプレイ上の表示）である。この”開始”ボタンがユーザによりクリックされると周囲騒音測定が開始され、良好である場合には、測定・良否判定  ３７に移り、不良の場合は、静寂環境への移動・物音を立てないよう注意の表示６５に移る、６５のときディスプレイには図３１が表示される。６８は、エコー測定の環境としては周囲騒音が大きすぎる旨の通知・静寂環境への移動の通知・その後再度の周囲騒音測定の開始の通知に関するメッセージである。６９は、再度周囲騒音の測定をユーザに決定させる”開始”ボタンである。上記のとおり、静寂環境への移動が完了し、”開始”ボタンが押下されると再測定が開始される。周囲騒音が良好との結果が出ない限り、６４と６５の処理が繰り返されることとなる。本実施例のように周囲騒音測定処理を行うことにより、周囲の騒音、ユーザが端末を触ることによる雑音によりエコー測定が失敗するリスクが軽減される。
【００３５】
エコー量の良否判定としては、エコー信号に対して、フーリエ変換を施さず、時間領域においてピーク値もしくは、時間平均値を規定としても良い。
【００３６】
エコー測定中のユーザへの操作指示、すなわちユーザインターフェイスとしては、音声案内でも良い。しかしながら、この実施例の場合には、エコー測定中はユーザへの操作指示、連絡ができない。
【００３７】
本発明は、スピーカーを使った通話（ハンドセット通話）、ハンズフリー通話以外に、ヘッドセットを使用した通話（ヘッドセットのマイクとイヤホンの間のエコーが発生）についても適用可能である。
【００３８】
図３２は、更に他の実施形態に係るエコー判定システムの一例を示す。具体的には、端末内部で良否判定を行わず、エコー信号測定を行った結果を、携帯電話のベースバンド部７０から、携帯電話通信基地局７１に送信し、基地局７１にてエコー量の良否判定を行う場合を示す。本実施例のように、端末内部で良否判定までを行わず、基地局にて良否判定を行うことにより、さらに高精度な判定の実現、通信事業者におけるデータ収集を容易にすることも可能である。
【００３９】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４０】
１１  信号規
１２  音響信号処理部
１３  デジタルゲインアンプ
１４  Ｄ／Ａコンバータ
１５  アナログゲイン
１６  スピーカーアンプ
１７  スピーカー
１８  マイク
１９  マイクアンプ
２０  アナログゲインアンプ
２１  Ａ／Ｄコンバータ
２２  デジタルゲインアンプ
２３  音響信号処理部
２４  信号測定部
２５  良否判定部
【図１】
2012015715.tif 000005
【図２】
2012015715.tif 000006
【図３】
2012015715.tif 000007
【図４】
2012015715.tif 000008
【図５】
2012015715.tif 000009
【図６】
2012015715.tif 000010
【図７】
2012015715.tif 000011
【図８】
2012015715.tif 000012
【図９】
2012015715.tif 000013
【図１０】
2012015715.tif 000014
【図１１】
2012015715.tif 000015
【図１２】
2012015715.tif 000016
【図１３】
2012015715.tif 000017
【図１４】
2012015715.tif 000018
【図１５】
2012015715.tif 000019
【図１６】
2012015715.tif 000020
【図１７】
2012015715.tif 000021
【図１８】
2012015715.tif 000022
【図１９】
2012015715.tif 000023
【図２０】
2012015715.tif 000024
【図２１】
2012015715.tif 000025
【図２２】
2012015715.tif 000026
【図２３】
2012015715.tif 000027
【図２４】
2012015715.tif 000028
【図２５】
2012015715.tif 000029
【図２６】
2012015715.tif 000030
【図２７】
2012015715.tif 000031
【図２８】
2012015715.tif 000032
【図２９】
2012015715.tif 000033
【図３０】
2012015715.tif 000034
【図３１】
2012015715.tif 000035
【図３２】
2012015715.tif 000036